(57)【要約】      （修正有）【課題】使用後に容易に小さくすることが可能なリールを提供する。【解決手段】リール１１は、対向する一対のフランジ部１２と、一対のフランジ部１２の間に配置されて、一対のフランジ部１２同士を連結するとともに、長尺物を巻き取り可能な連結部１３とを備える。そして、連結部１３は、可撓性材料によって構成されている。【選択図】図１
2015155346.tif 000002
【特許請求の範囲】
【請求項１】
対向する一対のフランジ部と、
前記一対のフランジ部の間に配置されて前記一対のフランジ部同士を連結するとともに長尺物を巻き取り可能な連結部と
を備え、
前記連結部は、可撓性材料によって構成されていることを特徴とするリール。
【請求項２】
前記一対のフランジ部の中央部には、軸を挿通可能な軸孔が形成されており、
前記連結部は、前記軸孔に沿う筒状をなしていることを特徴とする請求項１に記載のリール。
【請求項３】
前記連結部には、前記連結部を補強する補強部材が着脱自在に巻き付けられていることを特徴とする請求項１または請求項２に記載のリール。
【請求項４】
前記一対のフランジ部は、可撓性材料によって構成された被覆材によってそれぞれ覆われており、
前記連結部は、前記被覆材を介して前記一対のフランジ部同士を連結していることを特徴とする請求項１〜請求項３のうちいずれか一項に記載のリール。
【請求項５】
前記一対のフランジ部は、可撓性材料によって中空の袋状に形成され、内部に気体を充填可能な気体充填部を備えていることを特徴とする請求項１〜請求項３のうちいずれか一項に記載のリール。
【発明の詳細な説明】
【技術分野】
【０００１】
本発明は、長尺物を巻き取り可能なリールに関する。
【背景技術】
【０００２】
従来、この種のリールとしては、特許文献１に示すようなものが知られている。この特許文献１に記載のリールは、段ボールによって形成されるとともに４つのバンド通し孔を有する２枚の円板状のフランジ部と、段ボールによって形成された円筒状の巻取り胴部とを備えている。
【０００３】
そして、このリールは、２枚のフランジ部で巻取り胴部を挟んだ状態で２枚のフランジ部の４つのバンド通し孔に２本の連結バンドを２つずつ通して締めた後、それぞれの連結バンドの両端部をそれぞれバンド止め金具によって繋ぎ合わせることによって組み立てられる。
【先行技術文献】
【特許文献】
【０００４】
【特許文献１】特開２００２−４６９４６号公報
【発明の概要】
【発明が解決しようとする課題】
【０００５】
ところで、上述のようなリールは、特に巻取り胴部が円筒状の三層構造の段ボールによって構成されているため、解体すると嵩張ってしまう上に、折り畳むことも困難であるという問題がある。また、巻取り胴部を無理やり折り畳んだとしても、巻取り胴部に多数の折り目が付いて再使用が困難になってしまう。
【０００６】
本発明は、このような従来技術に存在する問題点に着目してなされたものである。その目的とするところは、使用後に容易に小さくすることが可能なリールを提供することにある。
【課題を解決するための手段】
【０００７】
以下、上記課題を解決するための手段及びその作用効果について記載する。
上記課題を解決するリールは、対向する一対のフランジ部と、前記一対のフランジ部の間に配置されて前記一対のフランジ部同士を連結するとともに長尺物を巻き取り可能な連結部とを備え、前記連結部は、可撓性材料によって構成されている。
【０００８】
この構成によれば、リールの使用後に一対のフランジ部同士を近づけると、連結部が一対のフランジ部によって押し潰されて小さくなる。一方、連結部が押し潰された状態から一対のフランジ部を互いに離れる方向に移動させると、連結部が広げられて長尺物を巻き取り可能な状態となる。したがって、使用後に容易に小さくすることができるとともに、容易に再使用することが可能となる。
【０００９】
上記リールにおいて、前記一対のフランジ部の中央部には、軸を挿通可能な軸孔が形成されており、前記連結部は、前記軸孔に沿う筒状をなしていることが好ましい。
この構成によれば、一対のフランジ部の軸孔及び連結部に軸を挿通することで、軸によって容易にリールを回転可能に支持することが可能となる。
【００１０】
上記リールにおいて、前記連結部には、前記連結部を補強する補強部材が着脱自在に巻き付けられていることが好ましい。
この構成によれば、補強部材によって連結部の強度を向上させることが可能となる。
【００１１】
上記リールにおいて、前記一対のフランジ部は、可撓性材料によって構成された被覆材によってそれぞれ覆われており、前記連結部は、前記被覆材を介して前記一対のフランジ部同士を連結していることが好ましい。
【００１２】
この構成によれば、一対のフランジ部を被覆材よって保護することが可能となる。
上記リールにおいて、前記一対のフランジ部は、可撓性材料によって中空の袋状に形成されるとともに、内部に気体を充填可能な気体充填部を備えていることが好ましい。
【００１３】
この構成によれば、リールの使用時には袋状の一対のフランジ部の内部に気体充填部から気体を充填することによって一対のフランジ部を膨張させ、リールの使用後には気体充填部から袋状の一対のフランジ部の内部の気体を抜くことで、一対のフランジ部を折り畳むことができる。したがって、リールの使用後に、連結部に加えて一対のフランジ部も折り畳むことができるので、リールをより一層小さくすることが可能となる。
【発明の効果】
【００１４】
本発明によれば、使用後に容易に小さくすることができる。
【図面の簡単な説明】
【００１５】
【図１】一実施形態のリールの斜視図。
【図２】図１の断面図。
【図３】補強部材の平面図。
【図４】リールの使用状態を示す斜視図。
【図５】リールから補強部材を取り外したときの状態を示す斜視図。
【図６】リールから補強部材を取り外して折り畳んだときの状態を示す斜視図。
【図７】変更例のリールの平面図。
【図８】図７の断面図。
【図９】別の変更例のリールの斜視図。
【発明を実施するための形態】
【００１６】
以下、リールの一実施形態を図面に基づいて説明する。
図１及び図２に示すように、リール１１は、対向する一対の円環板状をなすフランジ部１２と、一対のフランジ部１２の間に配置されて一対のフランジ部１２同士を連結する円筒状の連結部１３と、連結部１３を補強する補強部材１４とを備えている。一対のフランジ部１２は、金属、合成樹脂、段ボールなどによって構成することができ、中央部に円柱状の軸１５（図４参照）を挿通可能な円形の軸孔１２ａを有している。
【００１７】
一対のフランジ部１２は、その外観形状に合わせた形状をなす可撓性材料によって構成された薄い被覆材１６によってそれぞれ覆われている。一対のフランジ部１２を覆う被覆材１６同士は、一対のフランジ部１２の軸孔１２ａの周縁と対応する位置において可撓性材料によって構成された円筒状の連結部１３によって連結されている。したがって、連結部１３は、軸孔１２ａに沿う円筒状をなしている。
【００１８】
この場合、連結部１３は、その外径が軸孔１２ａの内径とほぼ同じになっており、被覆材１６を介して一対のフランジ部１２同士を連結している。被覆材１６及び連結部１３を構成する可撓性材料としては、ポリ塩化ビニル、ポリエチレン、ポリプロピレン、ポリアミドなどの合成樹脂が用いられる。また、連結部１３の外周面には、連結部１３を補強する補強部材１４が着脱自在に巻き付けられている。
【００１９】
図１及び図３に示すように、補強部材１４は、帯状をなしており、円環状に曲げることが可能な厚紙、合成樹脂製のシート、薄いアルミニウム板などの金属板などによって構成することができる。補強部材１４の長手方向の一端部における一側面及び他端部における他側面には、それぞれ面ファスナー１４ａが設けられている。
【００２０】
そして、補強部材１４を連結部１３の外周面に巻きつけた状態で補強部材１４の両端部の面ファスナー１４ａ同士を重ね合わすことで、補強部材１４が円環状に維持される。すなわち、補強部材１４が連結部１３の外周面に巻きつけた状態で維持される。そして、一対のフランジ部１２間に配置されて一対のフランジ部１２同士を連結する連結部１３には、補強部材１４越しに長尺物Ｔ（図４参照）を巻き取り可能とされている。
【００２１】
次に、リール１１の使用時の作用について説明する。
図４に示すように、リール１１を使用する場合には、まず、連結部１３に対して補強部材１４越しに長尺物Ｔを巻き取る。本実施形態では、長尺物Ｔとして基布２０上に複数のパイル糸２１が立設されるように織り込んでなる長尺帯状をなすパイル織物を用いている。この場合、長尺物Ｔは、パイル糸２１側が内側となるように、連結部１３によって補強部材１４越しに巻き取られる。
【００２２】
続いて、長尺物Ｔを巻き取ったリール１１を、一対のフランジ部１２の軸孔１２ａに軸１５を挿通することで、軸１５に対して回転可能に支持させる。この状態で、長尺物Ｔを引き出すことで、リール１１が回転しながら長尺物Ｔを繰り出す。このようして、使用されたリール１１は、巻き取った長尺物Ｔがなくなると、片付けられる。
【００２３】
そして、リール１１を片付ける場合には、リール１１を軸１５から外した後、図５に示すように、リール１１から補強部材１４を取り外す。その後、一対のフランジ部１２で連結部１３を挟んで押し潰すようにしてリール１１を折り畳む。すると、図６に示すように、リール１１は、一対のフランジ部１２間の距離が極めて小さくなるので、嵩が小さくなる。したがって、リール１１は、効率よく保管したり運搬したりすることができる。
【００２４】
また、リール１１は、再使用する場合、図６に示す折り畳まれた状態から一対のフランジ部１２を互いに離れるように移動させる。すると、リール１１は、図５に示すように、連結部１３が広げられる。その後、連結部１３に補強部材１４を巻き付けることで、リール１１が図１に示すように使用可能な状態となる。なお、リール１１は、補強部材１４を省略して、連結部１３に長尺物Ｔを直接巻き回すようにして使用するようにしてもよい。
【００２５】
以上詳述した実施形態によれば次のような効果が発揮される。
（１）リール１１は、連結部１３が可撓性材料によって構成されている。このため、使用後に連結部１３から補強部材１４を取り外してから一対のフランジ部１２同士を近づけると、連結部１３が一対のフランジ部１２によって押し潰されて小さくなる。一方、連結部１３が押し潰された状態から一対のフランジ部１２を互いに離れる方向に移動させると、押し潰されていた連結部１３が広げられて長尺物Ｔを巻き取り可能な状態となる。したがって、リール１１は、使用後に容易に小さくすることができるとともに、容易に再使用することができる。
【００２６】
（２）リール１１は、一対のフランジ部１２の中央部に軸１５を挿通可能な軸孔１２ａが形成されており、連結部１３は軸孔１２ａに沿う筒状をなしている。このため、一対のフランジ部１２の軸孔１２ａ及び連結部１３に軸１５を挿通することで、軸１５によって容易にリール１１を回転可能に支持することができる。
【００２７】
（３）リール１１は、連結部１３の外周面上に、連結部１３を補強する補強部材１４が着脱自在に巻き付けられている。このため、補強部材１４によって連結部１３の強度を向上させることができる。
【００２８】
（４）リール１１は一対のフランジ部１２が可撓性材料によって構成された被覆材１６によってそれぞれ覆われており、連結部１３は被覆材１６を介して一対のフランジ部１２同士を連結している。このため、一対のフランジ部１２を被覆材１６よって保護することができる。
【００２９】
（変更例）
なお、上記実施形態は、次のように変更して具体化することも可能である。
・図７及び図８に示すように、リール１１において、一対のフランジ部１２を可撓性材料によって中空の円環袋状に形成し、一対のフランジ部１２にそれらの内部に空気などの気体を充填可能な気体充填部２５を設けるようにしてもよい。このようにすれば、リール１１の使用時には、一対のフランジ部１２の内部に気体充填部２５から気体を充填することで一対のフランジ部１２を膨張させて円環状にすることができる。一方、リール１１の使用後には、気体充填部２５から一対のフランジ部１２の内部の気体を抜くことで、一対のフランジ部１２を折り畳むことができる。したがって、リール１１の使用後に、連結部１３に加えて一対のフランジ部１２も折り畳むことができるので、リール１１をより一層小さくすることができる。
【００３０】
・図９に示すように、リール１１において、被覆材１６を省略し、一対のフランジ部１２の軸孔１２ａ同士を連結部１３によって直接連結するようにしてもよい。
・リール１１において、補強部材１４は省略してもよい。
【００３１】
・一対のフランジ部１２において、軸孔１２ａは省略してもよい。
・リール１１において、連結部１３は必ずしも軸孔１２ａに沿う円筒状にする必要はない。
【００３２】
・長尺物Ｔは、パイル織物以外のものであってもよい。例えば、長尺物Ｔは、糸、紐、布、紙、プラスチックフィルム、ホースなどであってもよい。
【符号の説明】
【００３３】
１１…リール、１２…フランジ部、１２ａ…軸孔、１３…連結部、１４…補強部材、１５…軸、１６…被覆材、２５…気体充填部、Ｔ…長尺物。
【図１】
2015155346.tif 000003
【図２】
2015155346.tif 000004
【図３】
2015155346.tif 000005
【図４】
2015155346.tif 000006
【図５】
2015155346.tif 000007
【図６】
2015155346.tif 000008
【図７】
2015155346.tif 000009
【図８】
2015155346.tif 000010
【図９】
2015155346.tif 000011